(57)【要約】【課題】小型化された室内機本体内であっても的確且つ確実に分流器の分流性能を担保し得る空気調和機の室内機を提供する。【解決手段】熱媒体の配管３の経路に分流器１が配されている空気調和機の室内機であって、上記配管３は、分流器１の近傍に向けて湾出した湾出部３ａを有する。上記湾出部を含めた配管を引き廻すことにより、分流器１の傾きを規制する分流器傾斜抑制手段３ａとして機能させる。また、分流器１からの熱媒体が流通する熱交換器２が上記分流器１の側方に配置されており、上記分流器傾斜抑制手段は、分流器の前後方向に一対設けられている。【選択図】図１
2010266120.tif 000002
【特許請求の範囲】
【請求項１】
熱媒体の配管（３）の経路に分流器（１）が配されている空気調和機の室内機であって、上記配管（３）は、分流器（１）の近傍に向けて湾出した湾出部（３ａ）を有し、上記湾出部を含めた配管を引き廻すことにより、分流器（１）の傾きを規制する分流器傾斜抑制手段（３ａ）として機能させることを特徴とする分流器傾斜抑制手段を備えた空気調和機の室内機。
【請求項２】
上記分流器傾斜抑制手段（３ａ）は、所望位置にある分流器（１）と一定隙間を有するように配置されていることを特徴とする請求項１の空気調和機の室内機。
【請求項３】
上記配管（３）は、分流器（１）の近傍に向けて湾出した湾出部（３ａ）を有しており、この湾出部（３ａ）が上記分流器傾斜抑制手段を構成していることを特徴とする請求項１又は請求項２の空気調和機の室内機。
【請求項４】
上記分流器（１）からの熱媒体が流通する熱交換器（２）が上記分流器（１）の側方に配置されており、上記分流器傾斜抑制手段は分流器（１）の前後方向に一対設けられていることを特徴とする請求項１〜請求項３のいずれかの空気調和機の室内機。
【請求項５】
上記分流器（１）は、全体として略竪形円筒形状をしているとともに、複数の流出管（１ａ）が略同一径の仮想円周上に配されていることを特徴とする請求項１〜請求項４のいずれかの空気調和機の室内機。
【発明の詳細な説明】
【技術分野】
【０００１】
この発明は、空気調和機の室内機に係るものであり、特に、冷媒の配管の経路に分流器が配されている空気調和機の室内機に関するものである。
【背景技術】
【０００２】
この種の分流器１は、図３（ａ）のように、気液二層流の冷媒が上方から入口管から流入し、上方へとＵターンして複数の流出管１ａに分流させるものであるが、分流器１が入口管と流出管１ａとの片側固定構造であるために、図３（ｂ）のように分流器１が傾斜してしまい、流出管１ａの入口に高さの違いが生ずると、重力の影響を受けて、流出管１ａ相互において著しい偏流が発生し、性能低下を招くことが知られている（特許文献１参照）。
【０００３】
上記のような分流器の性能低下を防止するために、特許文献２に記載されたような技術が提案されている。この特許文献２に記載されたものは、分流器を支持する支持片を設け、さらに室内機内に、この支持片を係止する仕切板を設けたものである。しかしながら、特許文献２に記載されたものでは、部品点数の増加を招くばかりか、室内機内に仕切板および支持片を配置するスペースが必要であり、小形化が望まれる製品には充分には対応できない。
【先行技術文献】
【特許文献】
【０００４】
【特許文献１】特開２００６−２３４３４７号公報
【特許文献２】実公昭６３−３３０５６号公報
【発明の概要】
【発明が解決しようとする課題】
【０００５】
この発明は上記した従来の欠点を解決するためになされたものであって、その目的は、小形化された室内機本体内であっても的確、かつ確実に分流器の分流性能を確保し得る空気調和機の室内機を提供することにある。
【課題を解決するための手段】
【０００６】
上記課題を解決するため、この発明空気調和機の室内機は、熱媒体の配管３の経路に分流器１が配されている空気調和機の室内機であって、上記配管３は、分流器１の近傍に向けて湾出した湾出部３ａを有し、上記湾出部を含めた配管を引き廻すことにより、分流器１の傾きを規制する分流器傾斜抑制手段３ａとして機能させることを特徴とする。
【０００７】
また、本発明にあっては、上記分流器傾斜抑制手段３ａは、所望位置にある分流器１と一定隙間を有するように配置されている構成を採用することができる。
【０００８】
また、本発明にあっては、上記配管３は、分流器１の近傍に向けて湾出した湾出部３ａを設け、この湾出部３ａで上記分流器傾斜抑制手段を構成することができる。
【０００９】
また、本発明にあっては、上記分流器１からの熱媒体が流通する熱交換器２が上記分流器１の側方に配置されており、上記分流器傾斜抑制手段は、分流器の前後方向に一対設けられている構成を採用することができる。
【００１０】
また、本発明にあっては、分流器１が、全体として略竪形円筒形状をしているとともに、複数の流出管１ａが略同一径の仮想円周上に配されている構成を採用することができる。
【発明の効果】
【００１１】
この発明の空気調和機の室内機では、分流器が傾斜した場合であっても、分流器が、配管の一部である分流器傾斜抑制手段に当接し、それ以上に傾斜しないため、分流器の分流性能が低下するのを抑制できる。また、分流器傾斜抑制手段として配管を利用しているため、特別に他の部品を必要とすることがなく、これにより部品点数の増加を防ぐことができるとともに、特別な他の部品用のスペースを確保する必要がないという利点を有する。
【００１２】
また、分流器傾斜抑制手段を、所望位置にある分流器と一定隙間を有するように配置することによって、正常状態における分流器と分流器傾斜抑制手段とが互いに接触するのが抑制されるため、騒音発生等の懸念を少なくできる。
【００１３】
また、配管が、分流器の近傍に向けて湾出した湾出部を有しており、この該湾出部で上記分流器傾斜抑制手段を構成することによって、分流器の近傍に配管を湾出させるのみで本発明の効果を奏することができ、このため、配管全体の設計に自由度が得られる利点を有する。
【００１４】
また、分流器からの熱媒体が循環される熱交換器を分流器の側方に配置し、分流器傾斜抑制手段が、分流器の前後方向に一対設けられている構成を採用することによって、分流器は横方向には熱交換器の存在により傾斜しにくく、また、前後方向には分流器傾斜抑制手段によってその傾斜が抑制でき、全方位的に一定角度以上の傾斜を抑制することができる。
【００１５】
また、分流器が、全体として略竪形円筒形状をしているとともに、複数の流出管が略同一径の仮想円周上に配されているものの場合には、仮に分流器が傾斜した場合には流出管の入口に高さの違いが生じ、流出管相互の偏流が顕著となり、分流性能の低下が懸念されるものの、上記した分流器傾斜抑制手段によって、分流器の傾斜が抑制されているため、分流器の分流性能が低下するのを確実に抑制できる。
【図面の簡単な説明】
【００１６】
【図１】この発明の一実施形態に係る空気調和機の室内機を説明するための概略的側面図であって、（ａ）は正常状態、（ｂ）は分流器の傾斜状態を説明するための図である。
【図２】この発明の他実施形態に係る空気調和機の室内機を説明するための概略的側面図である。
【図３】従来の空気調和機の室内機を説明するための概略的側面図であって、（ａ）は正常状態、（ｂ）は分流器の傾斜状態を説明するための図である。
【発明を実施するための形態】
【００１７】
以下、この発明の実施形態を図面に基づいて詳細に説明する。この発明の一実施形態に係る空気調和機の室内機は、図１（ａ）（ｂ）および図２に示すように、冷媒が通過する熱交換器２と、冷媒を循環させるための配管３と、この配管３の経路に設けられた分流器１とを備えている。
【００１８】
上記分流器１は、熱交換器２の側方の配管３に配されており、気液二層流の冷媒が入口管１ｂから流入し、複数（３つ）の流出管１ａに分流させるものである。この分流器１は、全体として略竪形円筒形状をしており、複数の流出管１ａおよび入口管１ｂが略同一径の仮想円周上に配されている。この複数の流出管１ａおよび入口管１ｂは、この実施形態においては、いずれも上方から分流器１内へと接続されている。なお、入口管１ｂを分流器１の下方から接続したものを採用することは適宜設計変更可能な事項である。
【００１９】
また、上記配管３には、上記分流器１の前後に位置する部分において、分流器１の近傍に向けて湾出した湾出部３ａが形成されている。この湾出部３ａは、分流器１が、分流性能を低下させる角度以上に傾斜しないように、傾斜しようとする分流器１と当接する分流器傾斜抑制手段として機能する（図１（ｂ）参照）。また、この湾出部３ａは、所望位置（設計時に予定される位置）の分流器１と一定隙間を有するように配置されている。
【００２０】
この実施形態の室内機は、上記構成からなるため、分流器１が傾斜しようとする場合であっても、分流器１が、配管３の一部である分流器傾斜抑制手段３ａに当接し、それ以上に分流器１が傾斜しないため、分流器１の分流性能が低下するのを抑制できる。なお、分流器１の傾斜角度が０°〜１０°の範囲内にあれば、分流性能に及ぼす影響は少ないことを確認している。
【００２１】
さらに、上記のように分流器傾斜抑制手段３ａとして配管３を利用しているため、特別な他の部品を必要とすることがなく、これにより部品点数の増加を防ぐことができるとともに、特別な他の部品のスペースを確保する必要がないという利点を有する。
【００２２】
しかも、配管３の湾出部３ａを分流器傾斜抑制手段として機能させるため、分流器１の近傍に配管３を湾出させるのみで上記利点を奏することができ、このため、配管３全体の設計に自由度が得られる利点を有する。
【００２３】
さらに、分流器１の側方には、熱交換器２が配置され、分流器傾斜抑制手段としての湾出部３ａが、分流器１の前後に設けられているため、分流器１は横方向には熱交換器２の存在により傾斜しにくく、また、前後方向には分流器傾斜抑制手段３ａによってその傾斜が抑制でき、全方位的に一定角度以上の傾斜を抑制することができる。
【００２４】
なお、この発明は、上記実施形態に限定されるものではなく、この発明の範囲内で上記実施形態に多くの修正及び変更を加えて実施し得ることは勿論である。つまり、上記実施形態においては、分流器傾斜抑制手段を分流器１の前後に設けた例について説明したが、この発明はこれに限定されるものではなく、例えば、図２に示すように、分流器１の前方のみに配管３の湾出部３ａ（分流器傾斜抑制手段）を設けたものも本発明の意図する範囲内である。
【符号の説明】
【００２５】
１・・分流器、１ａ・・流出管、１ｂ・・入口管、２・・熱交換器、３・・配管、３ａ・・湾出部（分流器傾斜抑制手段）
【図１】
2010266120.tif 000003
【図２】
2010266120.tif 000004
【図３】
2010266120.tif 000005